【事件の表示】
　特願２００２−　９７８５０「電子アルバム装置」拒絶査定不服審判事件〔平成１５年　４月１８日出願公開、特開２００３−１１４８２０〕について、次のとおり審決する。
【結　論】
　本件審判の請求は、成り立たない。
【理　由】
１．手続の経緯
　本願は、平成１４年３月２９日（優先権主張平成１３年７月３１日）の出願であって、平成２０年１月２３日付けで拒絶理由通知がなされ、同年３月３１日付けで手続補正がなされたが、同年４月１６日付けで拒絶査定がなされ、これに対し、同年５月２２日に拒絶査定不服審判の請求がなされるとともに、同年６月２３日付けで手続補正がなされたものである。
　
２．平成２０年６月２３日付けの手続補正についての補正却下の決定
［補正却下の決定の結論］
　平成２０年６月２３日付けの手続補正を却下する。
　
［理由］
（１）補正後の請求項１に係る発明
　本件手続補正により、特許請求の範囲の請求項１は、
「データ記録用メディアの装填が可能であると共に、該データ記録用メディアに格納されている全てのファイルを読み出して、データ保存用メディアに記録することが可能な電子アルバム装置において、データ記録用メディアからデータ保存用メディアへファイルのコピーを行なう際に、データ記録用メディアに作成されているフォルダ構造に対応する新たなフォルダ構造を形成するフォルダをデータ保存用メディアに新たに作成し、データ保存用メディアに新たに作成されたフォルダにデータ記録用メディアからデータ保存用メディアへのファイルのコピーを行なうことを特徴とする電子アルバム装置。」
と補正された。
　
　上記補正は、補正前の請求項１において、新たなフォルダをデータ保存用メディアにいつ作成するかについて「
データ記録用メディアからデータ保存用メディアへファイルのコピーを行なう際に
新たな
るフ
新たに
データ保存用メディアへの
　そこで、本件手続補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例
　原査定の拒絶の理由に引用された特開２００１−５１８７７号公報（以下、「引用例」という。）には、図面とともに次の事項が記載されている。
　
Ａ．「【００２０】
【発明の実施の形態】［データ保存装置の構成例］図１は、本発明のデータ保存装置の一実施例のハードウエア構成例を示すブロック図であり、データ保存装置１００はデータ取込み機能を備えたコンピュータ装置（例えば、パソコン）からなり、操作部１、データ取込装置２、制御部３、保存記憶メモリ４、表示部５を備えている。また、プリンタ６や、デジタルカメラのような外部装置２００とケーブル接続によりデータを受信する受信部７及び／または外部装置２００’と赤外線通信によりデータの受信を行う赤外線通信部８を備えるようにしてもよい。
【００２１】操作部１はキーボード等のキー入力装置からなり、メニューの選択、画像の取り込み指示や再生指示等の指示入力等を行なう。また、操作部１から指示入力があると、指示に応じて状態信号が制御部３に送出される。
【００２２】データ取込装置２は、本実施例ではデジタルカメラ等の外部装置に着脱可能に構成されたメモリカード７０（又は、コンパクトフラッシュメモリ（ＣＦ）やメモリステック等の小型記憶媒体）を装着可能に構成され、制御部３の制御によりメモリカード７０に記録された管理情報やフォルダ等の画像索引情報及び画像データをバッファ（図示せず）に取り込むデータ取込装置としたが、これに限定されず、記憶媒体を装着してその記憶媒体に記憶されているデータを読み取ってバッファに取込む機能を有する装置であればよい。
【００２３】制御部３は、ＣＰＵとＲＡＭやプログラム格納用メモリ（図示せず）等の周辺回路からなるマイクロプロセッサー構造をなしている。ＣＰＵは、上述の各構成部分等にバスラインを介して接続し、プログラム格納メモリに格納されている制御プログラムによりデータ保存装置１００全体の制御を行なうと共に、操作部１からの状態信号に対応してデータ保存装置１００の各機能の実行制御、例えば、データ取り込みプログラムによるデータ取込み処理の実行制御等の他、本発明に基づくデータ保存記憶プログラムによるデータの記憶方法の実行制御等を行う。また、ＲＡＭはデータ或いは処理結果の一時記憶および中間作業領域等に用いられる。また、プログラム格納用メモリは上述の制御プログラム、データ取込みプログラム、データ記憶プログラム及び各種処理プログラムのほか、画面表示用フォーマットデータ等を記録可能な記録媒体であり、ＰＲＯＭ、ＦＲＯＭ（フラッシュＲＯＭ）等が用いられる。なお、制御プログラム、データ取込みプログラム、データ記憶プログラム及び各種処理プログラムのほか、画面表示用フォーマットデータ等の全部又は一部をプログラム格納用メモリに代えて保存記憶メモリ４に記録するようにしてもよい。
【００２４】保存記憶メモリ４は磁気ディスク或いは光ディスク等のリムーバブル（書き換え可能）な大容量メモリからなり、図３に示すようなディレクトリ領域４１〜プレビュー領域４６等が確保されている。また、保存記憶メモリ４に制御プログラムや各種プログラム、定数および各種フォーマットデータ等を格納するプログラム格納領域を設けるようにしてもよい。」
　
Ｂ．「【００２６】［保存記憶メモリのディレクトリの構造］図２は保存記憶メモリ４のディレクトリの主要構造部分を示す図であり、管理ファイルａ及び各フォルダ（画像格納フォルダ１、プレビュー画像格納フォルダ１、画像格納フォルダ２、プレビュー画像格納フォルダ２、・・・）の名称とそれらの記憶アドレスとリンクするためのポインタが格納されている。
【００２７】また、画像格納フォルダ１、２、・・・には６桁の文字列＋連番（通し番号）からなるフォルダ識別子（図５（ｂ））と、画像ファイル名や撮影モード及び画像のグループ番号等の情報が記憶されるフォルダ内部管理ファイルと画像ファイル１−１，１−２、・・・のポインタ（画像ファイル名）が記憶される。また、プレビュー画像格納フォルダ１、２、・・・にはプレビュー画像ファイル１’−１，１’−２、・・・のポインタ（画像ファイル名）が記憶される。
【００２８】また、図２のように構成したディレクトリを構成することによりデータ保存装置１００は保存記憶メモリ４に記憶された画像をＷＷＷブラウザやアルバムソフトを用いて簡単に閲覧・検索することができる。
【００２９】［保存記憶メモリのレイアウト例］また、図３は保存記憶メモリ４の記憶領域のレイアウトの一実施例の説明図であり、保存記憶メモリ４上には記憶画像をＷＷＷブラウザで閲覧可能な構造のディレクトリ（図２）等を登録するディレクトリ領域４１、保存記憶メモリ４に設定される各フォルダの作成日付やポインタ（索引アドレス（記憶アドレス情報））等を記憶する管理ファイルａを記憶する管理ファイル領域４２、複数の画像格納フォルダ１、２、・・・を記憶する画像格納フォルダ領域４３、プレビュー画像格納フォルダ１’、２’、・・・を記憶するプレビュー画像格納フォルダ領域４１４、各々１フレーム分の画像データからなる画像ファイル１−１，１−２，１−３、・・・を記憶する画像領域４５、及び１フレーム分の画像データを縮小したプレビュー画像（サムネイル画像）からなるプレビュー画像ファイル１’−１，１’−２，１’−３、・・・を記憶するプレビュー画像領域４６が確保されている。
【００３０】図３で、管理ファイルａに登録されている各フォルダの作成日付１，２，３・・・と各画像格納フォルダ１，２，３、・・・は管理ファイルａにフォルダの作成日付（年月日）と一対として記憶されているポインタによって１対１に対応付けられている。
【００３１】また、各画像格納フォルダ１，２，３・・・は図５（ａ）に示すように６桁のフォルダ名＋通し番号からなるフォルダ識別子ｂと、フォルダ内管理ファイルを登録するフォルダ内管理ファイルが設けられている。また、フォルダ内管理ファイル識別にはそのフォルダに対応付けて格納される画像ファイル名またはポインタ（画像ファイルの記憶アドレス）及びプレビュー画像ファイル名またはポインタが記憶される。
【００３２】このようにポインタで結合することにより図３の画像領域４５で画像ファイルの物理的記憶順序が（削除や追加等により）実際の記憶順序と異なっていても論理的に所定の順序で記憶できるので、再生時には実際の記憶順に読み出すことができる。また、このようにすることによりフォルダを画像記憶用に分割された小領域とみなし、画像の記憶時にフォルダ名を指定すれば画像領域４５及びプレビュー画像領域４６に画像ファイル及びプレビュー画像ファイルを記憶することができる。なお、実施例では保存記憶メモリ４に画像領域４５をまとめて確保するようにしたが、画像格納フォルダ１，２，３・・・毎に画像記憶用の小領域（フォルダ領域）を割り当てて、フォルダ名を指定するとそのフォルダ領域に画像ファイル（及びプレビュー画像）を記憶するようにしてもよい。プレビュー画像領域４６についても同様である。また、上記説明では管理ファイルａにフォルダの作成日とポインタを登録するようにしたが、フォルダ名、フォルダの作成日付及びポインタを登録するようにしてもよい。」
　
Ｃ．「【００３５】［メモリカードのディレクトリ構造及びレイアウト］記憶画像の取り込みのためデータ保存装置１００に装着するメモリカード７０のディレクトリ構造は保存記憶メモリ４と同じディレクトリ構造（図２）を有しており、外部撮像装置に内臓された簡易ブラウザによって作成される。ここで、簡易ブラウザはパソコン等の画像処理装置や画像保存装置でＷＷＷブラウザを用いてメモリカード等の小型記憶媒体に記憶された撮影画像を閲覧できるよう、図３と同様の構造のディレクトリを作成したり、再生画像を閲覧可能とするように構成されたプログラム（例えば、カードブラウザ）である。
【００３６】また、メモリカード７０は図３に示すように保存記憶メモリとほぼ同様のレイアウトを有しており、メモリカード７０上にはメモリカード７０の形式やディレクトリ等を登録するメモリ管理領域７１、メモリカード７０に設定される各フォルダの作成日付やポインタ（索引アドレス（記憶アドレス情報））等を記憶する管理ファイルａ’を記憶する管理ファイル領域７２、複数の画像格納フォルダを記憶する画像格納フォルダ領域７３、プレビュー画像格納フォルダを記憶するプレビュー画像格納フォルダ領域７４、各画像ファイルを記憶する画像領域７５、各プレビュー画像ファイルを記憶するプレビュー画像領域７６が確保されている。
【００３７】また、管理ファイルａ’に登録されている各フォルダの作成日付と各画像格納フォルダは管理ファイルａ’にフォルダの作成日付（年月日）と一対として記憶されているポインタによって１対１に対応付けられている。また、各画像格納フォルダには図５（ａ）に示すように４桁のフォルダ名＋通し番号からなるフォルダ識別子ｂ’とフォルダ内管理ファイルを登録するフォルダ内管理ファイルが設けられている。このようにして、メモリカード７０に記憶されている管理ファイルａ’、画像格納フォルダＡ，Ｂ，Ｃ・・・及び画像ファイルＡ−１，Ａ−２，Ａ−３・・・は保存記憶メモリ４の場合と同様にそれぞれポインタによってリンク（結合されている）、また、プレビューファイル格納フォルダＡ’，Ｂ’，Ｃ’・・・及び画像ファイルＡ’−１，Ａ’−２，Ａ’−３・・についても同様である。」
　
Ｄ．「【００３８】［フォルダ名とフォルダ識別子］図５は保存記憶メモリ４に作成されるフォルダのフォルダ識別子ｂとメモリカード７０に撮影日毎に作成されるフォルダ識別子ｂ’の比較図説明図であり、図５（ａ）に示すように保存記憶装置１００では保存記憶メモリ４上にフォルダ識別子ｂ（ｘｘｘ＿ＹＹＭＭＤＤ（ここで、ｘｘｘは通し番号、ＹＹＭＭＤＤは＋任意の桁数の文字列からなるフォルダ名（ただし、実施例では６桁の数字ＹＹＭＭＤＤ（ＹＹは年、ＭＭは月、ＤＤは日）））が作成される。メモリカード７０にはフォルダ識別子ｂ’（ＸＸＸ＿ＭＭＤＤ（ここで、ＸＸＸは通し番号、ＹＹＤＤは４桁の数字からなるフォルダ名（月日）））が作成されている。なお、保存記憶メモリ４に作成するフォルダ名は年の桁数を４桁として８桁（ＹＹＹＹＭＭＤＤ）としてもよい。」
　
Ｅ．「【００３９】［画像保存動作例］図６はメモリカード７０に記憶されている撮影画像をフォルダごとデータ保存装置１００の保存記憶メモリ４に記憶する際のデータ保存装置１００の動作例を示すフローチャートであり、図６（ａ）は撮影日付をフォルダ名としているフォルダをそのフォルダのフォルダ名に対応付けられている画像をフォルダごとデータ保存装置１００に保存記憶する例、図６（ｂ）は変形例であり、データ保存装置１００の保存記憶メモリ４にメモリカード７０に撮影日付をフォルダ名としたフォルダの作成日付をフォルダ名とするフォルダを新に作成し、撮影日付をフォルダ名としているフォルダに対応付けられている画像を新に作成したフォルダに記憶する例である。」
　
Ｆ．「【００４０】（動作例）
ステップＳ１：（メモリカードの装着及びディレクトリ構造の判別）
図６（ａ）で、データ保存装置１００の起動後、ユーザがメモリカード７０を画像取込装置２に装着すると、制御部３はデータ取込装置２を制御してメモリカード７０の管理領域７１に相当する部分に記憶されているデータを読み取らせて調べ、装着したメモリカード７０のディレクトリの構造をチェックし、ディレクトリの構造が図３に示した構造と同様の場合にはＳ２に遷移し、そうでない場合には「読み取り不能」を意味するメッセージを表示部４に表示して処理を終了する。
【００４１】ステップＳ２：（管理ファイルの読み取り）
制御部３は、データ取込装置２を制御してメモリカード７０の管理ファイル領域７２に格納されている管理ファイルａ’を読み取らせ、その内容（フォルダの作成日付とフォルダとのポインタ）をＲＡＭに保持する。また、カウンタCの値ｉを１にする。
【００４２】ステップＳ３：（作成日付の比較）
制御部３は、ＲＡＭに保持したフォルダ作成日付（ｉ）（ｉはカウンタＣの値）と保存記憶メモリ４に格納されている各フォルダの名称を比較し、一致する場合にはＳ４に遷移し、一致しない場合にはＳ７に遷移する。
【００４３】ステップＳ４：（メモリカードからの画像ファイルの読み取り等）
制御部３は、ＲＡＭにフォルダ作成日付（ｉ）と一対として保持されているポインタ（ｉ）（その作成日付（ｉ）に対応するフォルダとのポインタ）を取り出して、メモリカード７０上の画像格納フォルダ領域７３のフォルダ（ｉ）（作成日付（ｉ）のフォルダ）を特定し、データ取込装置２を制御してそのフォルダに記憶されている各画像ファイルのポインタを基にメモリカード上の画像領域７５に記憶されている各画像ファイルを取り込む。また、メモリカード７０にプレビュー画像格納フォルダが作成されている場合にはメモリカード７０のプレビュー画像領域７６に記憶されているプレビュー画像ファイルも同様にして取り込む。
【００４４】ステップＳ５：（既設フォルダへの画像ファイルの記憶等）
制御部３は読み込んだ画像ファイルを画像領域４５に記録すると共に保存記憶メモリ４の既設の画像格納フォルダ（すなわち、ＲＡＭに保持したフォルダ作成日付（ｉ）と同じフォルダ名を（フォルダ識別子内に）もつフォルダ）に今記憶した画像ファイルとのポインタを登録する。また、メモリーカード７０にプレビュー画像格納フォルダが作成されている場合には読み取ったプレビュー画像ファイルも同様にしてプレビュー画像ファイル領域４６に記憶すると共にフォルダ作成日付（ｉ）と同じフォルダ名の既設のプレビュー画像格納フォルダに今記憶したプレビュー画像ファイルとのポインタを記憶する。
ステップS６：（画像ファイルの終了判定）制御部３は現在のフォルダ記憶されている画像をすべて取り込むか否か（＝画像ファイルとのポインタがあるか否か）を調べ、すべて取り込んだ場合にはＳ１１に遷移し、そうでない場合には次の画像ファイルを取り込むためにＳ４に戻る。
【００４５】ステップＳ７：（フォルダ名の変更及びフォルダ記憶日付の登録）
制御部３はＲＡＭに保持したフォルダ作成日付（ｉ）と一対として保持されているポインタ（ｉ）を取り出して、メモリカード７０上の画像格納フォルダ領域７３のフォルダ（ｉ）を特定しそのフォルダ名を作成日（ｉ）（年月日＝ＹＹＭＭＤＤ（又はＹＹＹＹＭＭＤＤ））に変更した画像格納フォルダを保存記憶メリ４に作成すると共に、管理ファイルａにＲＡＭに保持したフォルダ作成日付（ｉ）及び作成したフォルダとのポインタを登録する（画像格納フォルダのフォルダ識別子はｘｘｘ＿ＹＹＭＭＤ（又はｘｘｘ＿ＹＹＹＹＭＭＤ）となる）。
【００４６】ステップＳ８：（メモリカードからの画像ファイルの読み取り等）
制御部３はデータ取込装置２を制御して上記ステップＳ７で特定されたメモリカード７０上の画像格納フォルダ（ｉ）に記憶されている各画像ファイルのポインタを基にメモリカード上の画像領域７５に記憶されている各画像ファイルを取り込む。また、メモリーカード７０にプレビュー画像格納フォルダが作成されている場合にはメモリカード７０のプレビュー画像格納フォルダに記憶されているプレビュー画像ファイルも同様にして取り込む。
【００４７】ステップＳ９：（名称変更後のフォルダへの画像ファイル等の記憶）
次に、制御部３は取り込んだ画像ファイルを画像領域４５に記録すると共に上記ステップＳ６で保存記憶メモリ４に記憶した名称変更後の画像格納フォルダに今取り込んだ画像ファイルとのポインタを記憶する。また、メモリカード７０にプレビュー画像格納フォルダが作成されている場合には取り込んだプレビュー画像ファイルも同様にしてプレビュー画像領域４６に記憶すると共に新設したプレビュー画像格納フォルダに今記憶したプレビュー画像ファイルとのポインタを記憶する。
【００４８】ステップＳ１０：（画像ファイルの終了判定）
制御部３は現在のフォルダ記憶されている画像をすべて読み込んだか否か（＝画像ファイルとのポインタがあるか否か）を調べ、すべて読み込んだ場合にはＳ１１に遷移し、そうでない場合には次の画像ファイルを読み込むためにＳ８に戻る。
【００４９】ステップＳ１１：（メモリカードのフォルダ終了判定）
制御部３はカウンタCの値ｉに１を加え、更新後のカウンタＣの値ｉとＲＡＭに保持したフォルダの作成日付の数を比較し、更新後のカウンタCの値ｉがＲＡＭに保持したフォルダの作成日付の数を超えた場合には読み取り処理を終了し、そうでない場合にはＳ３に遷移する。」
　
Ｇ．「【００５１】（変形例）上記図６（ａ）でフォルダの作成日付の一致しない場合の動作（ステップＳ７〜ステップＳ１０）は、図６（ｂ）に示すようにしても図６（ａ）の場合と同様の効果が得られる。すなわち、
ステップＳ７’：（フォルダ名の新設及びフォルダ作成日付の登録）
制御部３はＲＡＭに保持したフォルダ作成日付（ｉ）（年月日＝ＹＹＭＭＤＤ（又はＹＹＹＹＭＭＤＤ））をフォルダ名とする画像格納フォルダを保存記憶メモリ４に作成すると共に、管理ファイルａにＲＡＭに保持したフォルダ作成日付（ｉ）及び作成したフォルダとのポインタを登録する。
【００５２】ステップＳ８’：（メモリカードからの画像ファイルの読み取り等）
制御部３はＲＡＭに保持したフォルダ作成日付（ｉ）と一対として保持されているポインタ（ｉ）を取り出して、メモリカード７０上の画像格納フォルダ領域７３のフォルダ（ｉ）を特定し、データ読取装置２を制御してそのフォルダに記憶されている各画像ファイルのポインタを基にメモリカード上の画像領域７５に記憶されている各画像ファイルを取り込む。また、メモリーカード７０にプレビュー画像格納フォルダが作成されている場合にはメモリカード７０のプレビュー画像格納フォルダに記憶されているプレビュー画像ファイルも同様にして取り込む。
【００５３】ステップＳ９’：（新設のフォルダへの画像ファイル等の記憶）
次に、制御部３は取り込んだ画像ファイルを画像領域４５に記録すると共に上記ステップＳ６で保存記憶メモリ４に新設した画像格納フォルダに今取り込んだ画像ファイルとのポインタを記憶する。また、メモリーカード７０にプレビュー画像格納フォルダが作成されている場合には取り込んだプレビュー画像ファイルも同様にしてプレビュー画像領域４６に記録すると共に新設したプレビュー画像格納フォルダに今記憶したプレビュー画像ファイルとのポインタを記憶する。
【００５４】ステップＳ１０’：（画像ファイルの終了判定）
制御部３は現在のフォルダ記憶されている画像をすべて取り込んだか否か（＝画像ファイルとのポインタがあるか否か）を調べ、すべて取り込んだ場合にはＳ１１に遷移し、そうでない場合には次の画像ファイルを取り込むためにＳ８’に戻る。」
　
　上記Ｆの記載及び図６（ａ）のステップＳ７〜Ｓ１０の動作、及び該図６（ａ）の変形例である図６（ｂ）のステップＳ７’〜Ｓ１０’の動作は、いずれも、「フォルダの作成日付の一致しない場合の動作」であるものの、図６のフローチャート全体は、上記Ｅに「図６はメモリカード７０に記憶されている撮影画像をフォルダごとデータ保存装置１００の保存記憶メモリ４に記憶する際のデータ保存装置１００の動作例を示すフローチャートであり」と記載されているように、「メモリカード７０に記憶されている撮影画像をフォルダごとデータ保存装置１００の保存記憶メモリ４に記憶する
際の
　
　よって、上記Ａ〜Ｇの記載及び関連する図面を参照すると、引用例には、次の発明が記載されているものと認められる。（以下、「引用例記載の発明」という。）
「メモリカードの装着が可能であると共に、該メモリカードに記憶されている全ての画像ファイルを読み出して、保存記憶メモリに記録することが可能なデータ保存装置において、メモリカードから保存記憶メモリへ画像ファイルの取り込みを行なう際に、メモリカードのフォルダ作成日付と保存記憶メモリのフォルダ作成日付とが一致しない場合に、メモリカードに作成されているフォルダ構造に対応する新たなフォルダ構造を形成するフォルダを保存記憶メモリに新たに作成し、保存記憶メモリに新たに作成されたフォルダにメモリカードから保存記憶メモリへの画像ファイルの取り込みを行なうデータ保存装置。」
　
（３）対比
　本願補正発明と引用例記載の発明とを対比すると、次のことがいえる。
　
（あ）引用例記載の発明における「メモリカード」、「装着」、「記憶」、「画像ファイル」、「保存記憶メモリ」、「取り込み」は、それぞれ、本願補正発明における「データ記録用メディア」、「装填」、「格納」、「ファイル」、「データ保存用メディア」、「コピー」に相当する。
　
（い）引用例記載の発明の「データ保存装置」と、本願補正発明の「電子アルバム装置」とは、ともに「電子装置」である点で共通するものである。
　
（う）引用例記載の発明において、「メモリカードに作成されているフォルダ構造に対応する新たなフォルダ構造を形成するフォルダを保存記憶メモリに新たに作成し、保存記憶メモリに新たに作成されたフォルダにメモリカードから保存記憶メモリへの画像ファイルの取り込みを行なう」のは、「メモリカードのフォルダ作成日付と保存記憶メモリのフォルダ作成日付とが一致しない場合」であるものの、「メモリカードから保存記憶メモリへ画像ファイルの取り込みを行なう際」（引用例の上記Ｅの「図６はメモリカード７０に記憶されている撮影画像をフォルダごとデータ保存装置１００の保存記憶メモリ４に記憶する
際の
　一方、本願補正発明は、「データ記録用メディア」と「データ保存用メディア」のフォルダ作成日付を何も考慮しないものの、「データ記録用メディアからデータ保存用メディアへファイルのコピーを行なう際」に、「データ記録用メディアに作成されているフォルダ構造に対応する新たなフォルダ構造を形成するフォルダをデータ保存用メディアに新たに作成し、データ保存用メディアに新たに作成されたフォルダにデータ記録用メディアからデータ保存用メディアへのファイルのコピー」を行なうものであることには変わりない。
　そして、引用例記載の発明における「メモリカードから保存記憶メモリへ画像ファイルの取り込みを行なう際」は、本願補正発明における「データ記録用メディアからデータ保存用メディアへファイルのコピーを行なう際」に相当する事項である。
　
　上記（あ）〜（う）の事項を踏まえると、本願補正発明と引用例記載の発明とは、次の点で一致し、また、相違するものと認められる。
　
（一致点）
　本願補正発明と引用例記載の発明とは、ともに、
「データ記録用メディアの装填が可能であると共に、該データ記録用メディアに格納されている全てのファイルを読み出して、データ保存用メディアに記録することが可能な電子アルバム装置において、データ記録用メディアからデータ保存用メディアへファイルのコピーを行なう際に、データ記録用メディアに作成されているフォルダ構造に対応する新たなフォルダ構造を形成するフォルダをデータ保存用メディアに新たに作成し、データ保存用メディアに新たに作成されたフォルダにデータ記録用メディアからデータ保存用メディアへのファイルのコピーを行なう電子装置。」
である点。
　
（相違点）
　本願補正発明は「電子アルバム装置」であるのに対し、引用例記載の発明は「データ保存装置」であって「電子アルバム装置」であるとはされていない点。
　
（４）判断
　そこで、上記相違点について検討する。
　引用例記載の発明の「データ保存装置」は、引用例の上記Ａの段落【００２０】に、「図１は、本発明のデータ保存装置の一実施例のハードウエア構成例を示すブロック図であり、データ保存装置１００はデータ取込み機能を備えたコンピュータ装置（例えば、パソコン）からなり」と記載されているものの、引用例の段落【００５７】に、「以上、本発明の一実施例について説明したが本発明は上記実施例に限定されるものではなく、種々の変形実施が可能であることはいうまでもない。」と記載され、さらに、引用例の段落【０００１】に、「本発明は、パーソナルコンピュータ（以下、パソコン）や専用の画像再生装置等の画像保存装置に撮像装置で作成したフォルダに記憶されている画像を大量に保存する際の画像保存補助技術に関する。」と記載されているように、「パーソナルコンピュータ（パソコン）」のみならず、「専用の画像再生装置」によっても構成することができるものである。
　そして、この種の「専用の画像再生装置」として、「電子アルバム装置」との名称は、例えば、特開２０００−３１１１０６号公報の段落【０００４】〜【０００５】に、
「【０００４】そこで、出願人は、メモリカードの装填が可能であって、ユーザによる一括保存釦の操作に応じて、該メモリカードに記録されている全ての画像データを読み出して、内蔵せるＣＤ−Ｒ(Compact Disc−recordable)に書き込むことが可能な電子アルバム装置を開発した。
【０００５】該電子アルバム装置によれば、例えば６４０ＭＢの容量を有するＣＤ−Ｒに対して、メモリカード約１０枚分の静止画を書き込むことが出来るので、多量の静止画を対象とする管理が容易となる。」
と記載されているように、当業者が適宜に用いることのできる名称にすぎない。
　よって、引用例記載の発明の「データ保存装置」を「電子アルバム装置」とすることは、当業者が適宜になし得ることである。
　
　したがって、本願補正発明は、引用例記載の発明に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２０年６月２３日付けの手続補正は、上記のとおり却下されたので、本願の請求項１に係る発明は、平成２０年３月３１日付け手続補正書の特許請求の範囲の請求項１に記載されたとおりの次のものと認める。（以下、「本願発明」という。）
「データ記録用メディアの装填が可能であると共に、該データ記録用メディアに格納されている全てのファイルを読み出して、データ保存用メディアに記録することが可能な電子アルバム装置において、データ記録用メディアに作成されているフォルダ構造に対応するフォルダ構造を形成する新たなフォルダをデータ保存用メディアに作成して、データ保存用メディアに作成された新たなフォルダにデータ記録用メディアからファイルのコピーを行なうことを特徴とする電子アルバム装置。」
　
（２）引用例
　これに対して、原査定の拒絶の理由に引用された引用例とその記載事項は、上記２．（２）に記載したとおりである。
　
（３）対比・判断
　本願発明は、上記２．で検討した本願補正発明において、新たなフォルダをデータ保存用メディアにいつ作成するかについて「
データ記録用メディアからデータ保存用メディアへファイルのコピーを行なう際に
新たな
るフ
新たに
データ保存用メディアへの
　そうすると、本願発明の構成要件を全て含み、さらに特定の限定を施したものに相当する本願補正発明が、上記２．（４）に記載したとおり、引用例記載の発明に基いて、当業者が容易に発明をすることができたものであるから、上記特定の限定を省いた本願発明は、同様に、引用例記載の発明に基いて、当業者が容易に発明をすることができたものである。
　
（４）むすび
　以上のとおり、本願発明は、引用例記載の発明に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。